(57)【要約】【課題】ケーシング内で被処理物を回転させながら破砕する破砕機において、ケーシングの摩耗損傷を確実に防止できるようにする。【解決手段】ケーシング１と、ケーシング１内面に互いに隣接する状態で取り付けられる保護ライナ１０との間に、ケーシング１内面のうち、保護ライナ１０どうしの間の隙間と対向する部位を覆う裏張りライナ１５を設けることにより、保護ライナ１０の摩耗が進んで肉厚が小さくなっても、保護ライナ１０どうしの間の隙間に入り込んだ被処理物のケーシング１内面への衝突が阻止され、ケーシング１の摩耗損傷が確実に防止されるようにした。【選択図】図４
2020146665.tif 000002
【特許請求の範囲】
【請求項１】
ケーシングの内面に複数の保護ライナが互いに隣接する状態で取り付けられており、前記ケーシング内で被処理物を回転させながら破砕する破砕機において、
前記ケーシングと保護ライナとの間に、前記ケーシングの内面のうち、互いに隣接する保護ライナの間の隙間と対向する部位を覆う裏張りライナが設けられていることを特徴とする破砕機。
【請求項２】
前記保護ライナが前記ケーシングを貫通するボス部でケーシングに固定されており、前記裏張りライナは、前記保護ライナのボス部に係合する状態で固定されていることを特徴とする請求項１に記載の破砕機。
【請求項３】
前記保護ライナのケーシングへの取付面に、前記裏張りライナが嵌まり込む凹部が形成されていることを特徴とする請求項１または２に記載の破砕機。
【発明の詳細な説明】
【技術分野】
【０００１】
本発明は、ケーシング内で被処理物を回転させながら破砕する破砕機に関する。
【背景技術】
【０００２】
ハンマクラッシャやロッドミル等の破砕機は、ケーシングの内部で回転するハンマまたはロッド等の破砕媒体と、ケーシングの内面に設けられる反発板とを備え、そのハンマまたは破砕媒体が回転している状態で被処理物をケーシング内に投入することにより、被処理物がハンマまたは破砕媒体から加えられる衝撃力と反発板への衝突によって破砕されるようにしている。
【０００３】
上記のようにケーシング内で被処理物を回転させながら破砕する破砕機では、一般に、反発板をなす複数の保護ライナを互いに隣接する状態でケーシングの内面に取り付けているが、互いに隣接する保護ライナどうしの間の隙間に入り込んだ被処理物がケーシングの内面に衝突することにより、ケーシングが摩耗し、最悪の場合にはケーシングに穴があいてしまうこともある。
【０００４】
これに対して、特許文献１では、破砕機のケーシングの内面に取り付けられる保護ライナを、隣接するものと嵌まり合う状態で配置することにより、保護ライナどうしの間の隙間に被処理物が入り込んでも、その被処理物がケーシング内面までは達しにくいようにして、ケーシングの摩耗損傷を防止することが提案されている。
【先行技術文献】
【特許文献】
【０００５】
【特許文献１】特開２０１７−１０９１６５号公報
【発明の概要】
【発明が解決しようとする課題】
【０００６】
しかしながら、上記特許文献１で提案されているように保護ライナどうしを嵌め合わせた破砕機でも、保護ライナの摩耗が進んで肉厚が小さくなると、保護ライナどうしの間の隙間に入り込んだ被処理物がケーシングの内面に衝突するようになり、ケーシングが損傷することがある。
【０００７】
そこで、本発明は、ケーシング内で被処理物を回転させながら破砕する破砕機において、ケーシングの摩耗損傷を確実に防止できるようにすることを課題とする。
【課題を解決するための手段】
【０００８】
上記課題を解決するために、本発明は、ケーシングの内面に複数の保護ライナが互いに隣接する状態で取り付けられており、前記ケーシング内で被処理物を回転させながら破砕する破砕機において、前記ケーシングと保護ライナとの間に、前記ケーシングの内面のうち、互いに隣接する保護ライナの間の隙間と対向する部位を覆う裏張りライナが設けられている構成を採用した。
【０００９】
上記の構成によれば、保護ライナの摩耗が進んで肉厚が小さくなっても、保護ライナどうしの間の隙間に入り込んだ被処理物のケーシング内面への衝突が裏張りライナによって阻止されるので、ケーシングの摩耗損傷を確実に防止することができる。
【００１０】
ここで、前記保護ライナが前記ケーシングを貫通するボス部でケーシングに固定されており、前記裏張りライナは、前記保護ライナのボス部に係合する状態で固定されている構成とすれば、ケーシングに裏張りライナを固定するための穴等を設ける必要がなくなり、裏張りライナの取付作業が容易に行えるようになる。
【００１１】
また、前記保護ライナのケーシングへの取付面に、前記裏張りライナが嵌まり込む凹部が形成されている構成とすれば、裏張りライナを確実に固定できるとともに、保護ライナの取付面をケーシングの内面と密着させて、保護ライナがガタつかないようにすることができる。
【発明の効果】
【００１２】
本発明の破砕機は、上述したように、ケーシングの内面のうち、互いに隣接する保護ライナの間の隙間と対向する部位を覆う裏張りライナを設けて、被処理物が保護ライナどうしの間の隙間に入り込んでもケーシング内面には衝突しないようにしたものであるから、ケーシングの摩耗損傷を確実に防止することができる。
【図面の簡単な説明】
【００１３】
【図１】実施形態の破砕機の縦断正面図
【図２】図１の一部切欠き側面図
【図３】図１の要部を拡大して示す縦断正面図
【図４】（ａ）は図３のケーシング投入口近傍の保護ライナと裏張りライナの配置を示す平面図、（ｂ）は（ａ）の右側面図
【図５】図４の分解斜視図
【発明を実施するための形態】
【００１４】
以下、図面に基づき本発明の実施形態を説明する。この破砕機は、図１および図２に示すように、ケーシング１の上部一側の投入口２から投入された被処理物を、回転させながらケーシング１内に設けたハンマ９で破砕するハンマクラッシャである。そのケーシング１は、ＳＳ４００等の一般構造用圧延鋼材で形成されている。
【００１５】
前記ケーシング１は、上部がヒンジ３によって上方に回動可能となっており、その開放状態（図１の一点鎖線の状態）で内部の点検・修理が可能となっている。また、ケーシング１の下部はグレートバー４によって構成されており、このグレートバー４の間を通って破砕された被処理物が下方に排出されるようになっている。
【００１６】
ケーシング１内には、減速機５を介してモータＭと連結された回転軸６が設けられている。その回転軸６の外周にはアームロータ７と円形ロータ８が軸方向に交互に固定されており、アームロータ７の両端および円形ロータ８の外周縁の対称位置にハンマ９が取り付けられている。また、ケーシング１内面のうち、被処理物が接触する周内面および両側面には、高マンガン鋳鋼や高クロム鋳鉄等の耐摩耗材からなる複数の保護ライナ１０、１１（周内面）、１２（両側面）が取り付けられている。
【００１７】
そして、モータＭの駆動によって回転軸６が回転し、ハンマ９が図１の矢印方向に回転している状態で、被処理物が投入口２からケーシング１内に投入されると、その被処理物は、ケーシング１内でハンマ９に衝突されて回転しながら反発板となるケーシング１周内面の保護ライナ１０、１１に衝突し、ハンマ９から加えられる衝撃力と反発板への衝突によって破砕され、グレートバー４の間を通って排出されるようになっている。
【００１８】
ここで、ケーシング１周内面の保護ライナ１０、１１は、図３に示すように、その背面（ケーシング１への取付面）から突出するボス部１３がケーシング１を貫通する状態で、ボス部１３外周の凹部に嵌合するコッタ１４とボルト・ナットによってケーシング１に取り付けられている。一方、ケーシング１両側面の保護ライナ１２は、コッタ１４を介さずにボルト・ナットで直接ケーシング１に取り付けられている。
【００１９】
また、図４（ａ）、（ｂ）および図５に示すように、ケーシング１周内面の保護ライナ１０、１１のうち、ケーシング１の投入口２の近傍に配される保護ライナ１０は、３枚がケーシング１の軸方向で互いに隣接する状態で取り付けられている。その３枚の保護ライナ１０は、互いに形状が異なり、両端に配される２枚の軸方向内側の端面の背面側から突出する凸部と、中央に配される１枚の軸方向両端面の背面側に形成された凹部とが嵌まり合っている。
【００２０】
なお、投入口２近傍の各保護ライナ１０は、ケーシング１の周方向で隣り合う保護ライナ１１とも凹凸で嵌まり合っており、投入口２近傍以外の各保護ライナ１１も、ケーシング１の周方向で隣り合うものおよび軸方向で隣り合うものと凹凸で嵌まり合っている。
【００２１】
そして、投入口２近傍の各保護ライナ１０とケーシング１との間には、ケーシング１の内面のうち、互いに隣接する保護ライナ１０の間の隙間と対向する部位を覆う裏張りライナ１５が設けられている。
【００２２】
各裏張りライナ１５は、耐摩耗肉盛鋼板、鉄板、セラミックス板、硬質ゴム板等で形成されるもので、保護ライナ１０どうしの間の隙間に沿って延びる本体部１５ａと、本体部１５ａからケーシング１の軸方向に延びる取付部１５ｂとからなる。そして、その取付部１５ｂに形成された取付孔１５ｃを保護ライナ１０のボス部１３の外周に嵌合させた状態で、本体部１５ａを各保護ライナ１０の背面に形成された凹部１０ａに嵌め込むことにより、ケーシング１と保護ライナ１０との間で固定されている。なお、取付部１５ｂは保護ライナ１０のボス部１３の外周に係合するようになっていればよく、例えば取付孔１５ｃの周縁部の一部が切断されている形状としてもよい。
【００２３】
このように裏張りライナ１５は保護ライナ１０のボス部１３に係合する状態で固定されるようになっているので、ケーシング１には裏張りライナ固定用の穴等をあける必要がなく、裏張りライナ１５の取付作業は容易に行える。また、その裏張りライナ１５は保護ライナ１０の背面の凹部１０ａに嵌め込まれるので、回り止めされて確実に固定されるし、保護ライナ１０も背面がケーシング１の内面と密着してガタつかないようになっている。
【００２４】
この破砕機は、上記の構成であり、ケーシング１内面のうちでも、特に被処理物の衝突による保護ライナ１０の摩耗の進展が早い投入口２の近傍部分には、互いに隣接する保護ライナ１０の間の隙間と対向する部位を覆う裏張りライナ１５を設けたので、保護ライナ１０の肉厚が小さくなっても、保護ライナ１０どうしの間の隙間に入り込んだ被処理物のケーシング１内面への衝突が阻止され、ケーシング１の摩耗損傷を確実に防止することができる。
【００２５】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００２６】
例えば、裏張りライナは、実施形態では、ケーシングの投入口近傍でケーシングの軸方向に並ぶ保護ライナどうしの隙間ごとに設けたが、複数の隙間に対応する大面積のものを設けるようにしてもよい。また、その設置位置は、実施形態以外のケーシング周内面の保護ライナも含めて、各保護ライナのケーシング軸方向または周方向で隣り合うものとの隙間に対応する位置とすることができる。そして、裏張りライナが設けられた位置で互いに隣り合う保護ライナは、実施形態のような凹凸で嵌まり合う形状としなくてもよい。
【００２７】
さらに、裏張りライナの固定手段は、実施形態のもののほか、ケーシングや保護ライナへのボルト止め、保護ライナへの溶接（両ライナとも金属の場合）等を採用することができる。また、ケーシングや保護ライナ、裏張りライナの材料も、実施形態のものには特定されない。
【００２８】
そして、本発明は、実施形態のようなハンマクラッシャだけでなく、ケーシング内で被処理物を回転させる破砕機、例えばロッドミルやボールミル等にももちろん適用することができる。
【符号の説明】
【００２９】
１  ケーシング
２  投入口
３  ヒンジ
４  グレートバー
５  減速機
６  回転軸
７  アームロータ
８  円形ロータ
９  ハンマ
１０、１１、１２  保護ライナ
１０ａ  （保護ライナ１０の）凹部
１３  ボス部
１４  コッタ
１５  裏張りライナ
１５ａ  本体部
１５ｂ  取付部
１５ｃ  取付孔
【図１】
2020146665.tif 000003
【図２】
2020146665.tif 000004
【図３】
2020146665.tif 000005
【図４】
2020146665.tif 000006
【図５】
2020146665.tif 000007
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
ケーシングの内面に複数の保護ライナが互いに隣接する状態で取り付けられており、前記ケーシング内で被処理物を回転させながら破砕する破砕機において、
前記ケーシングと保護ライナとの間に、前記ケーシングの内面のうち、互いに隣接する保護ライナの間の隙間と対向する部位を覆う裏張りライナが設けられており、
前記保護ライナが前記ケーシングを貫通するボス部でケーシングに固定されており、前記裏張りライナは、前記保護ライナのボス部に係合する状態で固定されていることを特徴とする破砕機。
【請求項２】
ケーシングの内面に複数の保護ライナが互いに隣接する状態で取り付けられており、前記ケーシング内で被処理物を回転させながら破砕する破砕機において、
前記ケーシングと保護ライナとの間に、前記ケーシングの内面のうち、互いに隣接する保護ライナの間の隙間と対向する部位を覆う裏張りライナが設けられており、
前記保護ライナのケーシングへの取付面に、前記裏張りライナが嵌まり込む凹部が形成されていることを特徴とする破砕機。